(57)【要約】  ダイヤフラムポンプが、液圧流体を収容する移送チャンバと、ポンプ送りされる流体のためのポンプ送りチャンバと、を含んでいる。接続組立体が、移送チャンバまで延在するプランジャを含んでいる。ダイヤフラムが、接続組立体に接続し、移送チャンバとポンプ送りチャンバとを分離する。圧力保護デバイスが、接続組立体に取り付けられ、ダイヤフラムにおける逆圧力差を含む圧力差が所定の値を超えたときに、移送チャンバに対してシールするように構成されている。圧力保護デバイスは、プランジャとダイヤフラムとの中間にあり、ダイヤフラムにおいて過度の圧力差がある場合にダイヤフラムを支持する。
2021522436.tif 000002
【特許請求の範囲】
【請求項１】
液圧流体を収容する移送チャンバと；
ポンプ送りされる流体のためのポンプ送りチャンバと；
前記移送チャンバまで延在するプランジャを含む接続組立体と；
前記接続組立体に接続されたダイヤフラムであって、前記移送チャンバと前記ポンプ送りチャンバとを分離する、ダイヤフラムと；
前記接続組立体に取り付けられた圧力保護デバイスであって、前記ダイヤフラムにおける圧力差が所定の値を超えたときに、前記移送チャンバに対してシールするように構成されている、圧力保護デバイスと；
を備えることを特徴とするダイヤフラムポンプ装置。
【請求項２】
前記圧力保護デバイスが、前記プランジャと前記ダイヤフラムとの中間にあることを特徴とする請求項１に記載のダイヤフラムポンプ装置。
【請求項３】
前記圧力保護デバイスが、前記移送チャンバの壁部と係合することを特徴とする請求項２に記載のダイヤフラムポンプ装置。
【請求項４】
前記ポンプが、液圧ハウジングを備え、前記リングが、前記圧力差にさらされたときに前記液圧ハウジングと係合することを特徴とする請求項２に記載のダイヤフラムポンプ装置。
【請求項５】
前記圧力保護デバイスが、ディスク、フランジ、ワッシャ又は成形リングを備えることを特徴とする請求項１に記載のダイヤフラムポンプ装置。
【請求項６】
前記成形リングが、リップを備えることを特徴とする請求項５に記載のダイヤフラムポンプ装置。
【請求項７】
前記圧力保護デバイスが、変形させられたときに、前記移送チャンバと対となることを特徴とする請求項１に記載のダイヤフラムポンプ装置。
【請求項８】
前記圧力保護デバイスが、前記ダイヤフラムの剛性よりも大きい剛性を有することを特徴とする請求項１に記載のダイヤフラムポンプ装置。
【請求項９】
ダイヤフラムポンプにおけるダイヤフラムのための圧力保護デバイスであって、
前記ダイヤフラムポンプが、ダイヤフラムに取り付けられた接続組立体と、移送チャンバと、ポンプ送りチャンバと、を有し、前記圧力保護デバイスが、前記接続組立体に取り付けられた圧力保護デバイスを備え、前記圧力保護デバイスが、逆差圧にさらされたときに、前記移送チャンバに対してシールするように構成されていることを特徴とする圧力保護デバイス。
【請求項１０】
前記圧力保護デバイスが、前記ダイヤフラムの移送チャンバ側で前記ダイヤフラムを支持することを特徴とする請求項９に記載のダイヤフラムのための圧力保護デバイス。
【請求項１１】
前記圧力保護デバイスが、前記移送チャンバの壁部と係合することを特徴とする請求項１０に記載のダイヤフラムのための圧力保護デバイス。
【請求項１２】
前記接続組立体が、前記移送チャンバまで延在するプランジャを備え、前記圧力保護デバイスが、前記プランジャと前記ダイヤフラムとの中間にあることを特徴とする請求項９に記載のダイヤフラムのための圧力保護デバイス。
【請求項１３】
前記圧力保護デバイスが、ディスク、フランジ、ワッシャ、リップ又は成形リングを備えることを特徴とする請求項９に記載のダイヤフラムのための圧力保護デバイス。
【請求項１４】
前記圧力保護デバイスが、変形させられたときに、前記移送チャンバと対となることを特徴とする請求項９に記載のダイヤフラムのための圧力保護デバイス。
【請求項１５】
前記圧力保護デバイスが、前記ダイヤフラムの剛性よりも大きい剛性を有することを特徴とする請求項９に記載のダイヤフラムのための圧力保護デバイス。
【発明の詳細な説明】
【技術分野】
【０００１】
本出願は、ＰＣＴ国際特許出願として２０１９年４月１７日付けで出願されたものであり、２０１８年４月１８日付けで出願された米国仮特許出願第６２／６５９５５０号の優先権を主張し、この出願の全開示が、その全体を参照することによって組み込まれる。
【０００２】
発明の分野
本発明は、ダイヤフラムポンプ内のダイヤフラム及びクランクケースを過度の差圧から保護するためのシステム及び方法と、圧力保護デバイスを有するダイヤフラムポンプと、に関する。
【背景技術】
【０００３】
ダイヤフラムポンプは、ポンプ送り流体をダイヤフラムにより変位させることによって動作する。このような液圧駆動型ポンプでは、ダイヤフラムは、ダイヤフラムに対して押し付けられる液圧流体圧力によって撓まされる。このようなポンプは、有用性、効率及び信頼性の優れた組み合わせを提供することが分かっている。しかしながら、適切なシールを維持することと、ダイヤフラムの寿命を延ばすことと、が、ダイヤフラムポンプの課題である。
【０００４】
通常の動作中に、ポンプの推進及び制御システムは、ダイヤフラムにおける大きな差圧を防止又は制限するか、又はこのような圧力にダイヤフラムをさらすことを制限し、追加的なダイヤフラム保護が必要とされない。しかしながら、いくつかの用途では、ダイヤフラムは、大きな逆差圧にさらされる。ポンプが動作中でないときに持続される高い吸引圧力及び高い放出圧力の双方は、ダイヤフラムにおいて大きな逆差圧を生み出す可能性がある。これらの逆差圧は、ダイヤフラムが材料及び／又はポンプ幾何学形状からの不連続部に一致するような程度までダイヤフラムが包囲構造に押し付けられる場所で、ダイヤフラムを損傷させる可能性がある。変形したダイヤフラムが係合させられた間隙、縁部及び材料の移行部は、応力及び損傷についてのターゲット範囲であり得る。このような損傷は、ダイヤフラムの破断及びポンプの故障につながる可能性がある。さらに、ダイヤフラムが破断しかつシステム圧力がそのままである場合、システム流体は、ポンプの液圧移送チャンバ内に、破断したダイヤフラムを通過する可能性がある。問題が解消されないと、最終的に、システム流体は、クランクケースに入る可能性があり、ポンプを損傷させる可能性がある。
【発明の概要】
【発明が解決しようとする課題】
【０００５】
圧力保護デバイスを有するダイヤフラムを含む、新規の改良されたダイヤフラムポンプが必要とされていることが分かる。このような改良されたポンプ及びダイヤフラム装置は、過度の逆圧力差を含む、ダイヤフラムにおける高い圧力差に起因するダイヤフラムの損傷を防止又は制限するべきである。さらに、改良されたポンプ及びダイヤフラムは、ダイヤフラムが破断した場合に、流体がポンプの液圧後端部に入ることを防止するべきである。さらに、このようなシステムは、ポンプのサイズを増大させることなく又は性能に影響を与えることなく、製造しかつ取り付けるのが簡単であるべきである。本発明は、これらの問題と、ダイヤフラムポンプ及びダイヤフラムシーリング装置に関連する他の問題と、に対処する。
【課題を解決するための手段】
【０００６】
本発明は、ダイヤフラムにおける過度の差圧からダイヤフラムポンプのダイヤフラムを保護するためのシステムと、圧力保護デバイスを有するダイヤフラムポンプと、に向けられている。
【０００７】
ダイヤフラムポンプは、往復運動で移動するダイヤフラム組立体を含み、この往復運動は、ポンプ送りチャンバと液圧流体チャンバとの間でダイヤフラムを曲げる。ダイヤフラムは、ポンプ送りチャンバ内で流体をポンプ送りするために、後退位置と延長位置との間で前後に移動する。
【０００８】
ダイヤフラム組立体は、制御要素に取り付けられたダイヤフラム要素を含み、制御要素は、制御要素シャフト部分及び制御要素ディスク部分を含んでいる。締結具が、ダイヤフラムを制御要素に取り付けるためにディスク状フォロワに係合する。ダイヤフラム要素は、液圧ハウジングに係合して液圧ハウジングに対してシールする。制御要素シャフトは、バネにも接触し、バネは、液圧ハウジングに対して力を加え、ダイヤフラムをその後退位置に押し進める。バネは、一般的に、ポンプが動作しているときにダイヤフラムを横切る小さい付勢圧力を作り出すために使用される。さらに、バネは、ポンプがアイドル状態である場合に停止位置へダイヤフラムを後方に引っ張りもする。一実施形態では、液圧ハウジングは、プランジャが通って延在する中心開口部と、傾斜した角度付き部分につながる、径方向内側に延在した平面部分と、径方向延在面を有する外側部分と、を規定する。マニホールドハウジングが、中心開口部を有する環状要素として形成され、液圧ハウジングに係合する。液圧ハウジングは、マニホールドハウジングとともに、ダイヤフラム組立体の周りに移送チャンバを作り出す。ダイヤフラム組立体は、液圧ハウジングとマニホールドハウジングとの間に形成された移送チャンバ内で移動する。
【０００９】
従来のダイヤフラムポンプでは、過剰圧力状況が生じた場合、ポンプ流体からの高圧は、ダイヤフラムの液圧ハウジング側での任意の間隙内にダイヤフラムを押し込む。しかしながら、本発明は、制御要素及びダイヤフラムに接触してダイヤフラム組立体に取り付けられる圧力差保護デバイスを利用する。保護デバイスは、液圧ハウジングの角度付き部分と制御要素のディスク部分との間に滑らかな移行及び連続的表面を提供し、ダイヤフラムが押し込まれる間隙及び割れ目を排除する。従って、過度の圧力に遭遇したとしても、バックアップデバイスは、ダイヤフラム要素が不連続部内に変形することを可能せず、連続的に滑らかな形態を維持する。バックアップデバイスは、ダイヤフラムが漏れがある場合に流体が移送チャンバに入ることを防止するシールとしても作用するので、さらなる利益を有する。保護バックアップデバイスは、金属と金属との接触及び可能性のある漏れを回避するために、エラストマー材料から作られる。適切な材料は、超高分子量ポリエチレン、ウレタン及びゴムを含むが、これらに限定されるようには意図されない。エラストマー材料は、長いアイドル期間にわたってさえ効率的なシールを維持し、システム流体からの液圧移送チャンバ及びクランケースからの保護を提供することができる。
【００１０】
圧力差保護デバイスは、ダイヤフラムの形状と一致するような形状とされ、丸みを帯びているか、楕円状であるか、又は“レーストラック”状であってもよい。平面部分は、ポンプの形態に応じて、小さい中心取り付け部分と実質的に連続的であるか、又は実質的に開いていてもよい。リップ又はフランジが、支持及びダイヤフラム要素との係合を提供するためかつ間隙を埋めて制御要素から液圧ハウジングへダイヤフラムのための滑らかなかつ連続的支持面を提供するために、平面部分の周囲の周りで延在する。保護デバイスは、ディスク又は環状要素などの複数の形態を有し、適切な支持を提供するさまざまな材料から形成され得ることが理解され得る。保護デバイスは、好ましくは、ダイヤフラム要素よりも高い剛性を有し、このため、保護デバイスは、ダイヤフラムが往復運動するように構成されるときに、往復運動するように前後に曲がらずに適切な支持を提供する。リップ又はフランジは、包囲要素の全体的な幾何学形状に一致するように構成され、これにより、ダイヤフラム要素のための適切かつ連続的な支持を提供し、高い逆圧力差状況にさらされるときにダイヤフラム要素における急な方向変化を回避することが理解され得る。
【００１１】
圧力差保護デバイスの実施形態は、環状ディスク部分で構成されてもよく、かつワッシャ又はディスクとして構成されてもよく、これにより、ダイヤフラム要素が、応力が発生する可能性のある間隙内に押し込まれることができないように、連続的支持面での液圧ハウジングとの係合を提供する。保護デバイスは、ダイヤフラムポンプの特定の形態と対となるように構成された寸法並びに／又はリップ及び縁部を有し、これにより、ダイヤフラム要素のための支持を提供し、間隙及び割れ目を排除することも理解され得る。
【００１２】
本発明を特徴づける、新規なこれらの特徴及びさまざまな他の利点は、本願に添付されかつ本願の一部を形成する特許請求の範囲において特に指摘される。しかしながら、本発明、本発明の利点及び本発明の使用によって得られる目的のより良好な理解のために、本発明の好ましい実施形態が示されかつ説明される、本願のさらなる一部を形成する図面と、付随する説明的事項と、が参照される。
【００１３】
ここで図面を参照すると、同様の参照文字及び数字が、いくつかの視界にわたって対応する構造を示す。
【図面の簡単な説明】
【００１４】
【図１】ダイヤフラムポンプの側方断面図である。
【図２】図１に示されるダイヤフラムポンプのための、プランジャ、ダイヤフラム、ポンプ送りチャンバ及びマニホールドの側方断面図である。
【図３】通常の付勢圧力によりダイヤフラムが下死点にある、図２に示されるダイヤフラムの側方断面図である。
【図４】通常の付勢圧力によりダイヤフラムが延長位置にある、図３に示されるダイヤフラムの側方断面図である。
【図５】ダイヤフラムが逆差圧から変形させられた、図３に示されるダイヤフラムの側方断面図である。
【図６】本発明の原理による圧力差保護デバイスを有する、図２に示されるダイヤフラムの側方断面図である。
【図７】図６に示される圧力差保護デバイスを有するダイヤフラム組立体の分解斜視図である。
【図８】本発明の原理による圧力差保護デバイスの別の実施形態の断面図である。
【図９】本発明の原理による圧力差保護デバイスのさらに別の実施形態の断面図である。
【発明を実施するための形態】
【００１５】
ここで図面、特に図１を参照すると、全体として符号（２０）で示された液圧駆動型ダイヤフラムポンプが示されている。ダイヤフラムポンプ（２０）は、クランクケース（２２）内に取り付けられたクランクシャフト（３６）によって駆動される。マニホールド（２６）が、入口通路（７４）及び放出通路（７６）を含んでいる。マニホールド（２６）は、１つ以上の入口チェックバルブ（７２）及び１つ以上の放出チェックバルブ（７０）も含んでいる。
【００１６】
示される実施形態では、ポンプ（２０）は、ダイヤフラムポンプであり、図２においてよりはっきりと示されるように、バルブステム（４４）に取り付けられたダイヤフラム組立体（１００）を含んでいる。ダイヤフラム組立体（１００）は、可撓性を有するダイヤフラム要素（１０２）を含み、クランクシャフト（３６）へのクランクシャフトロッド（３８）上のスライダ（４０）に接続されたプランジャ（４２）によって液圧駆動される。プランジャ（４２）は、液圧流体チャンバ（３２）内に延在し、ダイヤフラムに液圧流体をぶつける。過剰充填チェックバルブ（４８）及び充填不足チェックバルブ（５０）が、適切な液圧流体レベルを維持している。
【００１７】
ダイヤフラム（１０２）は、ポンプ送りチャンバ（３４）内で流体を受け、システム流体は、ダイヤフラム（１０２）が延長位置と完全後退位置との間で前後に撓んでいる間にポンプ送りされる。マニホールド（２６）は、複数のダイヤフラムポンプの各ポンプ送りチャンバのために、別個の入口チェックバルブ（７２）及び放出チェックバルブ（７０）を含んでいる。
【００１８】
ここで図３〜図５を参照すると、ダイヤフラム組立体（１００）は、ポンプ送りチャンバ（３４）と液圧流体チャンバ（３２）との間で、ダイヤフラム（１０２）を曲げるために往復運動を有する。動作中に、ダイヤフラム要素（１０２）は、図３に示される後退位置と図４に示される延長位置との間で中心軸線に沿って往復運動する。液圧流体チャンバ（３２）は、少なくとも部分的に、角度付き部分（１１０）を含む液圧ハウジング（１０４）によって規定される。
【００１９】
図５に示されるように、従来のダイヤフラムでは、過度の逆圧力差状況が生じた場合、ポンプ送り流体からの圧力は、液圧ハウジング（１０４）、特に角度付き部分（１１０）と、制御要素（１２０）のディスク状部分（１２４）と、の間の不連続部にダイヤフラム要素を押し込むことが理解され得る。間隙内へのこのような変形は、ダイヤフラム要素（１０２）に応力を与え、上述したようにダイヤフラム要素（１０２）の損傷及び／又は故障につながる可能性がある。
【００２０】
図７に示されるように、ダイヤフラム組立体（１００）は、制御要素（１２０）に取り付けられたダイヤフラム要素（１０２）を有し、制御要素（１２０）は、制御要素シャフト部分（１２２）及び制御要素ディスク部分（１２４）を含んでいる。締結具（１２６）は、ダイヤフラム（１０２）を制御要素（１２０）に取り付けるために、ディスク状フォロワ（１２８）と係合する。ダイヤフラムは、ダイヤフラムの液圧チャンバ側で液圧ハウジングと係合する。
【００２１】
図６及び図７に示されるように、本発明は、制御要素（１２０）及びダイヤフラム（１０２）と接触してダイヤフラム組立体（１００）に取り付けられる圧力差保護デバイス（１４０）を利用する。制御要素ディスク部分（１２４）は、リングタイプ要素として構成される場合に保護デバイス（１４０）を受けるために溝を含んでもよい。保護デバイス（１４０）は、ダイヤフラム係合表面を作り出し、ダイヤフラム係合表面は、液圧ハウジング（１０４）の角度付き部分（１１０）と、制御要素（１２０）のディスク部分（１２４）と、に沿って滑らかな移行及び連続的支持面を提供する。従って、過度の逆差圧に遭遇したとしても、バックアップデバイス（１４０）が、ダイヤフラム要素（１０２）が間隙内に変形することを可能にせず、図６に示される形態にダイヤフラム要素を支持及び維持する。従って、ダイヤフラム（１０２）は、応力を集中させかつダイヤフラム要素（１０２）を損傷させる曲げ及び／又は変形を回避する。さらに、保護デバイス（１４０）が、ダイヤフラム（１０２）が破断するか又は漏れがある場合に流体が移送チャンバ及びクランクケースに入ることを防止することが理解され得る。
【００２２】
図６及び図７に示される圧力差保護デバイス（１４０）の実施形態は、ダイヤフラム要素（１０２）のための十分な支持を提供する材料から成る成形リングタイプの要素である。内側取り付け部分（１４２）が、制御要素（１２０）に対して着座する。圧力差保護デバイス（１４０）の周囲でのリップ又はフランジ（１４４）が、隙間を防止し、過度の逆圧力差の下でさえ制御要素（１２０）から液圧ハウジング（１０４）へダイヤフラムのための滑らかなかつ連続的支持面を提供する。保護デバイス（１４０）は、超高分子量ポリエチレン、ウレタン、ゴム及び他のエラストマー材料などのさまざまな材料から形成され、これら材料は、適切な支持を提供し、延長した期間について圧力下でシールを維持する。保護デバイス（１４０）は、好ましくは、ダイヤフラム要素（１０２）よりも高い剛性を有し、このため、保護デバイス（１４０）は、ダイヤフラム（１０２）とともに往復運動するように前後に曲がらない。
【００２３】
保護デバイス（１４０）は、ディスク又は環状要素などの複数の形態を有し得ることが理解され得る。さらに、保護デバイスの周囲は、丸みを帯びているか、楕円形であるか、又は“レーストラック”状であってもよい。ダイヤフラムと係合しない、リップ又はフランジ（１４４）の表面は、ダイヤフラム要素（１４０）のための適切かつ連続的な支持を提供するために周りのポンプ要素の全体的な幾何学形状と一致するように構成されている。
【００２４】
ここで図８を参照すると、圧力差保護デバイスの別の実施形態が示されている。全体として符号（２４０）で示される圧力差保護デバイスは、ダイヤフラム（２０２）のためのものである。圧力差保護デバイス（２４０）は、全体として、ワッシャのような環状平面ディスク部分（２４２）により構成され、間隙のない連続的支持面として液圧ハウジングとの係合を提供するように構成される。圧力差保護デバイス（２４０）は、ディスク部分（２４２）の後部に支持部分（２４４）を含み、これにより、平面ディスク部分が、過度の逆圧力差にさらされた場合にさえ、その形状を維持し、シールを維持することを確実にする。他の実施形態と同様に、他の方式でダイヤフラム要素（２０２）が内部に変形する可能性がある間隙が、排除され得る。圧力差保護デバイス（２４０）は、液圧チャンバの表面の凹凸を覆い、液圧マニホールドに対してより滑らかな連続的支持面を提供する。保護デバイス（１４０及び２４０）は、ダイヤフラムポンプ及び液圧チャンバの特定の形態と対となるように変更されるサイズ及び寸法を有し、これによりダイヤフラム要素（１０２）のための支持を提供することも理解され得る。
【００２５】
ここで図９を参照すると、圧力差保護デバイスのさらに別の実施形態が示されている。全体として符号（３４０）で示された圧力差保護デバイスは、ダイヤフラム（３０２）のために構成されている。圧力差保護デバイス（３４０）は、間隙のない連続的支持面において液圧ハウジングとの係合を提供するように構成されたリングタイプの要素（３４２）を含んでいる。リングタイプの要素（３４０）は、成形され、かつリングタイプの要素（３４２）を保持及び支持するために提供する支持部分（３４４）に取り付けられ、これにより、圧力差保護デバイス（３４０）が、過度の逆圧力差にさらされたときにさえ、その形状を維持し、シールを維持することを確実にする。他の実施形態と同様に、他の方式でダイヤフラム要素（３０２）が内部に変形する可能性がある間隙が、排除される。圧力差保護デバイス（３４０）は、液圧チャンバの表面の凹凸及び不連続部を覆い、液圧チャンバに対してより滑らかな連続的支持面を提供する。
【００２６】
上述した保護デバイス（１４０，２４０）と同様に、保護デバイス（３４０）は、ダイヤフラムポンプの特定の形態並びに液圧チャンバの寸法及び形状と対となるように変更されるサイズ及び寸法を有するように構成され、これによりダイヤフラム要素のための支持を提供することが理解され得る。さらに、本発明の保護デバイスの全体的な幾何学形状は、包囲チャンバの壁部と相補的となるように変更及び構成され、これにより、表面同士の間に急な角度又は移行部なく連続的な間隙のない表面を形成し、適切なシーリングを維持して過度の逆圧力差に対してダイヤフラム及びポンプを保護する。
【００２７】
しかしながら、本発明の多数の特徴及び利点が、本発明の構造及び機能の細部とともに上記の説明に記載されているが、開示は、単に例示的であり、添付の特許請求の範囲が表現される用語の広い通常の意味によって示される全体的な範囲まで、特に本発明の原理内でのパーツの形状、サイズ及び配置に関して変更が細部になされてもよいことも理解され得る。
【符号の説明】
【００２８】
２０  ダイヤフラムポンプ、３２  液圧流体チャンバ、３４  ポンプ送りチャンバ、４２  プランジャ、１０２，２０２，３０２  ダイヤフラム、１０４  液圧ハウジング、１４０，２４０，３４０  圧力保護デバイス、１４４  リップ
【図１】
2021522436.tif 000003
【図２】
2021522436.tif 000004
【図３】
2021522436.tif 000005
【図４】
2021522436.tif 000006
【図５】
2021522436.tif 000007
【図６】
2021522436.tif 000008
【図７】
2021522436.tif 000009
【図８】
2021522436.tif 000010
【図９】
2021522436.tif 000011
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
液圧流体を収容する液圧流体チャンバと；
ポンプ送りされる流体のためのポンプ送りチャンバと；
前記液圧流体チャンバまで延在するプランジャを含む接続組立体と；
前記接続組立体に接続されたダイヤフラムであって、前記液圧流体チャンバと前記ポンプ送りチャンバとを分離する、ダイヤフラムと；
前記接続組立体に取り付けられた圧力保護デバイスであって、前記ダイヤフラムにおける圧力差が所定の値を超えると、前記液圧流体チャンバに対してシールを形成する、圧力保護デバイスと；
を備えることを特徴とするダイヤフラムポンプ装置。
【請求項２】
前記圧力保護デバイスが、前記接続組立体のプランジャと前記ダイヤフラムとの中間にあることを特徴とする請求項１に記載のダイヤフラムポンプ装置。
【請求項３】
前記圧力保護デバイスが、前記液圧流体チャンバの壁部と係合することを特徴とする請求項２に記載のダイヤフラムポンプ装置。
【請求項４】
液圧ハウジングと、前記圧力差にさらされたときに前記液圧ハウジングと係合する成形リングと、を備えることを特徴とする請求項２又は３に記載のダイヤフラムポンプ装置。
【請求項５】
前記圧力保護デバイスが、ディスク、フランジ、ワッシャ又は成形リングを備えることを特徴とする請求項１に記載のダイヤフラムポンプ装置。
【請求項６】
前記成形リングが、リップを備えることを特徴とする請求項４に記載のダイヤフラムポンプ装置。
【請求項７】
前記圧力保護デバイスが、変形させられたときに、前記液圧流体チャンバと対となることを特徴とする請求項１から６のいずれか一項に記載のダイヤフラムポンプ装置。
【請求項８】
前記圧力保護デバイスが、前記ダイヤフラムの剛性よりも大きい剛性を有することを特徴とする請求項１から７のいずれか一項に記載のダイヤフラムポンプ装置。
【請求項９】
ダイヤフラムポンプのためのダイヤフラムのための圧力保護装置であって、
ダイヤフラム組立体のダイヤフラム接続組立体に取り付け可能であり、かつ逆差圧にさらされたときにダイヤフラムポンプの液圧流体チャンバに対して係合可能なシール部分を備える圧力差保護デバイスを備えていることを特徴とするダイヤフラムのための圧力保護装置。
【請求項１０】
前記圧力保護デバイスが、前記ダイヤフラムの液圧流体チャンバ側でダイヤフラムを支持するために取り付け可能であることを特徴とする請求項９に記載のダイヤフラムのための圧力保護装置。
【請求項１１】
前記圧力保護デバイスが、前記液圧流体チャンバの壁部と係合可能であることを特徴とする請求項１０に記載のダイヤフラムのための圧力保護装置。
【請求項１２】
前記圧力保護デバイスが、プランジャとダイヤフラムポンプのダイヤフラムとの中間に取り付け可能であることを特徴とする請求項９から１１のいずれか一項に記載のダイヤフラムのための圧力保護装置。
【請求項１３】
前記圧力保護デバイスが、ディスク、フランジ、ワッシャ、リップ又は成形リングを備えることを特徴とする請求項９から１２のいずれか一項に記載のダイヤフラムのための圧力保護装置。
【請求項１４】
前記圧力保護デバイスが、変形させられたときに、ダイヤフラムポンプの前記液圧流体チャンバと係合可能であることを特徴とする請求項９に記載のダイヤフラムのための圧力保護装置。
【請求項１５】
前記圧力保護デバイスが、ダイヤフラムの剛性よりも大きい剛性を有することを特徴とする請求項９から１４のいずれか一項に記載のダイヤフラムのための圧力保護装置。
【国際調査報告】
2021522436.tif 000012
2021522436.tif 000013